(57)【要約】【課題】コイルの巻回が緩みにくいインシュレータを提供する。【解決手段】コイル１１が巻回されるコイル巻回部１と、そのコイル巻回部１に巻回されたコイル１１の巻き終わり端末１１ｂを円弧状のガイド面１５に沿って折り曲げた状態に案内する巻き終わり端末案内部１６と、その巻き終わり端末案内部１６で案内されたコイル１１の巻き終わり端末１１ｂを係止させる巻き終わり端末係止片７，８とを有する構成をインシュレータに採用する。【選択図】図５
2008278694.tif 000002
【特許請求の範囲】
【請求項１】
コイル（１１）が巻回されるコイル巻回部（１）と、そのコイル巻回部（１）に巻回されたコイル（１１）の巻き終わり端末（１１ｂ）を円弧状のガイド面（１５）に沿って折り曲げた状態に案内する巻き終わり端末案内部（１６）と、その巻き終わり端末案内部（１６）で案内された前記コイル（１１）の巻き終わり端末（１１ｂ）を係止させる巻き終わり端末係止部（７，８）とを有するインシュレータ。
【請求項２】
前記巻き終わり端末係止部（７）は、前記コイル（１１）の巻き終わり端末（１１ｂ）を受け入れるスリット（１３）を有し、そのスリット（１３）は、スリット（１３）の開放端から奥に向かって次第に幅が狭くなる導入部（１３Ａ）と、その導入部（１３Ａ）からスリット（１３）の奥に向かって幅が広くなる段部（１３Ｂ）とを有する請求項１に記載のインシュレータ。
【発明の詳細な説明】
【技術分野】
【０００１】
この発明は、ハイブリッド自動車や燃料電池自動車等に組み込まれる回転電機用ステータのインシュレータに関する。
【背景技術】
【０００２】
モータやオルタネータなどの回転電機に用いられるステータは、一般に、磁性体からなるステータコアに絶縁体からなるインシュレータを装着し、そのインシュレータにコイルを巻回して形成される。
【０００３】
このステータに組み込まれるインシュレータとして、コイル巻回部に巻回されたコイルの巻き終わり端末を、案内片のコーナに沿って折り曲げた状態に案内し、その案内されたコイルの巻き終わり端末を係止片に係止するようにしたインシュレータが知られている（特許文献１）。
【特許文献１】特開２００６−６７７４０号公報
【発明の開示】
【発明が解決しようとする課題】
【０００４】
しかし、コイル端末は折り曲げると円弧状に変形するので、このインシュレータは、コイルの巻き終わり端末が案内片のコーナに密着しにくい。そのため、コイルの巻き終わり端末と案内片の間に遊びを生じやすく、その遊びによってコイルの巻回に緩みを生じ、ステータの性能低下を招きやすかった。
【０００５】
この発明が解決しようとする課題は、コイルの巻回が緩みにくいインシュレータを提供することである。
【課題を解決するための手段】
【０００６】
上記の課題を解決するために、コイルが巻回されるコイル巻回部と、そのコイル巻回部に巻回されたコイルの巻き終わり端末を円弧状のガイド面に沿って折り曲げた状態に案内する巻き終わり端末案内部と、その巻き終わり端末案内部で案内された前記コイルの巻き終わり端末を係止させる巻き終わり端末係止部とを有する構成をインシュレータに採用した。
【０００７】
このインシュレータは、前記巻き終わり端末係止部が、前記コイルの巻き終わり端末を受け入れるスリットを有し、そのスリットが、スリットの開放端から奥に向かって次第に幅が狭くなる導入部と、その導入部からスリットの奥に向かって幅が広くなる段部とを有するようにすると、より好ましいものとなる。
【発明の効果】
【０００８】
この発明のインシュレータは、巻き終わり端末案内部のガイド面が円弧状なので、巻き終わり端末案内部で折り曲げた状態に案内されたコイルの巻き終わり端末がガイド面に密着しやすい。そのため、コイルの巻き終わり端末と巻き終わり端末案内部の間に遊びを生じにくく、コイルの巻回が緩みにくい。
【０００９】
さらに、前記巻き終わり端末係止部が、前記コイルの巻き終わり端末を受け入れるスリットを有し、そのスリットが、スリットの開放端から奥に向かって次第に幅が狭くなる導入部と、その導入部からスリットの奥に向かって幅が広くなる段部とを有するものは、コイルの巻き終わり端末をスリットに引っ掛けて係止することができるので、コイルの巻き終わり端末を係止する作業が簡単である。
【発明を実施するための最良の形態】
【００１０】
図１に、この発明の実施形態のインシュレータを示す。このインシュレータは、筒状のコイル巻回部１と、コイル巻回部１の一端と他端にそれぞれ形成されたフランジ部２，３と、ステータ外周側のフランジ部３から延出する延出部４とを有する。コイル巻回部１とフランジ部２，３と延出部４はいずれも絶縁材料からなる。
【００１１】
延出部４には、ステータ周方向に対向する１対の巻き始め端末係止片５，６と、ステータ周方向に対向する１対の巻き終わり端末係止片７，８が、ステータ周方向に間隔をおいて形成されている。
【００１２】
巻き始め端末係止片５，６には、一端が開放したスリット９，１０がそれぞれ形成され、その各スリット９，１０に、図２に示すように、ステータ周方向に延びるコイル１１の巻き始め端末１１ａを収容可能となっている。
【００１３】
フランジ部３のステータ内周側の側面には、図１に示すように、コイル巻回部１の外周に沿ってガイド溝１２が形成され、このガイド溝１２を通じて巻き始め端末係止片６からコイル巻回部１にコイル１１を導入することにより、巻き始め端末係止片６から導入されるコイル１１とコイル巻回部１に巻回されるコイル１１が干渉するのを防止している。
【００１４】
また、巻き終わり端末係止片７，８には、巻き始め端末係止片５，６と同様に、一端が開放したスリット１３，１４がそれぞれ形成され、その各スリット１３，１４に、図３に示すように、ステータ周方向に延びた状態のコイル１１の巻き終わり端末１１ｂを収容可能となっている。スリット１３は、図４に示すように、スリット１３の開放端から奥に向かって次第に幅が狭くなる導入部１３Ａと、その導入部１３Ａからスリット１３の奥に向かって幅が広くなる段部１３Ｂとを有し、その段部１３Ｂがスリット１３内の巻き終わり端末１１ｂを係止する。スリット９，１０，１４も、スリット１３と同様に形成されている。
【００１５】
巻き終わり端末係止片７には、図５に示すように、コイル巻回部１からステータ外周側に引き出されたコイル１１の巻き終わり端末１１ｂを、円弧状のガイド面１５に沿ってステータ周方向に折り曲げた状態に案内する巻き終わり端末案内部１６が一体に形成されている。
【００１６】
また、このインシュレータは、図１に示す分割線１７の位置でステータ周方向に分割することが可能となっている。
【００１７】
このインシュレータへのコイル１１の巻回は、たとえば次のようにして行なう。
【００１８】
まず、分割線１７の位置で分割したインシュレータを分割コア１８に装着し、図２に示すように、コイル１１の巻き始め端末１１ａを巻き始め端末係止片５，６に係止させ、巻き始め端末係止片６からガイド溝１２を通ってコイル巻回部１にコイル１１を導入し、コイル巻回部１にコイル１１を巻回する。コイル１１を巻回した後、図３に示すように、コイル１１の巻き終わり端末１１ｂをステータ外周側に引き出し、その巻き終わり端末１１ｂを巻き終わり端末案内部１６のガイド面１５に沿ってステータ周方向に折り曲げ、巻き終わり端末係止片７，８に係止させる。
【００１９】
このようにしてインシュレータに巻回されたコイル１１は、巻き始め端末係止片５，６の間の位置で中性点バスバー（図示せず）に接続されるとともに、巻き終わり端末係止片７，８の間の位置でＵＶＷ相のいずれかに対応する給電用バスバー（図示せず）に接続される。
【００２０】
このインシュレータを用いると、巻き終わり端末案内部１６のガイド面１５が円弧状なので、巻き終わり端末案内部１６で折り曲げた状態に案内されたコイル１１の巻き終わり端末１１ｂがガイド面１５に密着しやすい。そのため、コイル１１の巻き終わり端末１１ｂと巻き終わり端末案内部１６の間に遊びを生じにくく、コイル１１の巻回が緩みにくい。
【００２１】
また、コイル１１の巻き終わり端末１１ｂをスリット１３，１４に引っ掛けて係止することができるので、コイル１１の巻き終わり端末１１ｂを係止する作業が簡単である。
【００２２】
上記実施形態では、巻き終わり端末案内部１６を巻き終わり端末係止片７と一体に形成しているが、巻き終わり端末案内部１６は、巻き終わり端末係止片７と別体に形成してもよい。また、上記実施形態では、対向１対の巻き終わり端末係止片７，８でコイル１１の巻き終わり端末１１ｂをより確実に係止するようにしているが、一方の巻き終わり端末係止片８のみでコイル１１の巻き終わり端末１１ｂを係止するようにしてもよい。
【００２３】
また、上記実施形態では、円環状に配置されてステータコアを形成する分割コア１８にインシュレータを装着しているが、このインシュレータは、電磁鋼板の積層体で一体に形成した円環状のステータコアに装着してもよい。
【００２４】
図では、２本のコイルを並列に巻回しているが、１本のコイルを巻回するようにしてもよい。
【００２５】
今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
【図面の簡単な説明】
【００２６】
【図１】この発明の実施形態のインシュレータを示す斜視図
【図２】図１のインシュレータにコイルを巻き始めた状態を示す斜視図
【図３】図１のインシュレータにコイルを巻き終わった状態を示す斜視図
【図４】図３に示す巻き終わり端末係止片の拡大断面図
【図５】図３のインシュレータの平面図
【符号の説明】
【００２７】
１        コイル巻回部
７，８    巻き終わり端末係止片
１１      コイル
１１ｂ    巻き終わり端末
１３，１４  スリット
１３Ａ    導入部
１３Ｂ    段部
１５      ガイド面
１６      巻き終わり端末案内部
【図１】
2008278694.tif 000003
【図２】
2008278694.tif 000004
【図３】
2008278694.tif 000005
【図４】
2008278694.tif 000006
【図５】
2008278694.tif 000007